(57)【要約】【課題】取り外しの際に吸収コアに含まれた尿等の排泄液が溢れ出すのを回避しながら、吸収性物品の前側又は後側の部分の左右方向の縁部を手で挟持して取り外し作業をスムーズに行うことができる吸収性物品を提供する。【解決手段】この吸収性物品（おむつ）では、不透液性を有し、吸収コア１１の外面側に配置されるバックシート１２の左右両側の折り返し部１２１が吸収コア１１の左右両側の部分に肌面側から重なるように折り返される。バックシート１２は、左右両側の折り返し部１２１及びその折り返し部１２１に対向するバックシート１２の対向部分１２３により形成され、吸収コア１１の左右両側の側端から左右方向外方に張り出す左右のサイドフラップ部１２２を備える。左右のサイドフラップ部１２２は、当該吸収性物品の左右両側の縁部における少なくとも前側の部分又は後側の部分に設けられている。【選択図】図２
2010259640.tif 000002
【特許請求の範囲】
【請求項１】
着用者の股部を含む領域に装着される吸収性物品であって、
吸液性を有する素材を備える吸収コアと、
不透液性を有し、前記吸収コアの外面側に配置され、その左右両側の折り返し部が前記吸収コアの左右両側の部分に肌面側から重なるように折り返されたバックシートと、
透液性を有し、前記吸収コアの前記肌面側に配置された表面シートと、
不透液性を有し、前記吸収コアの前記肌面側における左右両側に配置され、その外面側表面の接合領域が、前記表面シートの左右両側の縁部及び前記バックシートの折り返された左右両側の縁部と接合された左右のサイドシートと、
を備え、
前記バックシートは、前記左右両側の折り返し部及びその折り返し部に対向する当該バックシートの対向部分により形成され、前記吸収コアの左右両側の側端から前記左右方向外方に張り出す左右のサイドフラップ部を備え、
前記左右のサイドフラップ部は、
当該吸収性物品の左右両側の縁部における少なくとも前側の部分又は後側の部分に設けられていることを特徴とする吸収性物品。
【請求項２】
請求項１に記載の吸収性物品において、
前記バックシートは、不織布シートと、前記不織布シートの肌面側に貼り合わされた不透液性の樹脂フィルムとを備え、
前記左右のサイドフラップ部は、当該吸収性物品の少なくとも前記前側の部分又は前記後側の部分において、前記左右のサイドシートの前記左右方向外方の側端を超えて前記左右方向外方に張り出す張り出し部を備え、
前記左右のサイドシートは、当該吸収性物品の前後方向における前記張り出し部が設けられた前記部分において、前記サイドシートの前記側端から前記左右方向内方側に向けて、前記バックシートと接合されていない非接合領域を備えることを特徴とする吸収性物品。
【請求項３】
請求項２に記載の吸収性物品において、
前記吸収コアは、前記左右方向に沿った幅が拡大された前後の拡幅部と、その前後の拡幅部の間に設けられ、前記左右方向に沿った幅が狭められた括れ部とを有し、
前記左右のサイドフラップ部の前記張り出し部は、前記吸収コアの前記前後の拡幅部のうちの少なくともいずれか一方の拡幅部の前記左右方向外方側に設けられていることを特徴とする吸収性物品。
【請求項４】
請求項１ないし請求項３のいずれかに記載の吸収性物品において、
前記サイドシートは、当該サイドシートを透して前記バックシートの色及び前記表面シートの色を視認可能な素材により形成され、
前記バックシートの色は、前記サイドシートの色及び前記表面シートの色と異なっていることを特徴とする吸収性物品。
【発明の詳細な説明】
【技術分野】
【０００１】
本発明は、着用者の股部を含む領域に装着される使い捨ての吸収性物品に関する。
【背景技術】
【０００２】
特許文献１に記載の吸収性物品では、吸収体（７）が厚み方向から見たときに略砂時計形の形状を有し、吸収体（７）の肌面側における中央に透液性表面シート体（５）が配置され、その左右両側に不透液性のフラップ（１４）が配置されている。吸収体（７）の外面側には、不透液性裏面シート体（６）が配置されている。吸収体（７）の左右方向の幅が拡大された吸収性物品の前後の部分では、裏面シート体（６）が吸収体（７）の左右両側の縁部にて肌面側に折り返されており、吸収体（７）の左右方向の幅と吸収性物品の左右方向の幅がほぼ一致している。
【０００３】
一方、この種の吸収性物品では、着用者から取り外される際、吸収性物品の前側又は後側（特に後側）の左右方向の縁部を手で挟持して取り外し作業が行われる場合が多い。
【０００４】
このため、上記の特許文献１に記載の吸収性物品では、取り外し作業時に吸収性物品の前側又は後側の左右方向の縁部が手で挟持された場合、吸収体（７）の一部を挟み込むようして吸収性物品が挟持されることとり、吸収体（７）が手で押圧される。取り外しの際、吸収体（７）は尿等の排泄液を大量に含んでいる場合が多い。このため、手による押圧により吸収性（７）に含まれた排泄液が吸収体（７）から溢れ出し、溢れ出た排泄液が吸収性物品の外部に漏れ出すことがある。
【先行技術文献】
【特許文献】
【０００５】
【特許文献１】特開２００６−１６７１９７号公報
【発明の概要】
【発明が解決しようとする課題】
【０００６】
そこで、本発明の解決すべき課題は、取り外しの際に吸収コアに含まれた尿等の排泄液が溢れ出すのを回避しながら、吸収性物品の前側又は後側の部分の左右方向の縁部を手で挟持して取り外し作業をスムーズに行うことができる吸収性物品を提供することである。
【課題を解決するための手段】
【０００７】
上記の課題を解決するため、請求項１の発明では、着用者の股部を含む領域に装着される吸収性物品であって、吸液性を有する素材を備える吸収コアと、不透液性を有し、前記吸収コアの外面側に配置され、その左右両側の折り返し部が前記吸収コアの左右両側の部分に肌面側から重なるように折り返されたバックシートと、透液性を有し、前記吸収コアの前記肌面側に配置された表面シートと、不透液性を有し、前記吸収コアの前記肌面側における左右両側に配置され、その外面側表面の接合領域が、前記表面シートの左右両側の縁部及び前記バックシートの折り返された左右両側の縁部と接合された左右のサイドシートとを備え、前記バックシートは、前記左右両側の折り返し部及びその折り返し部に対向する当該バックシートの対向部分により形成され、前記吸収コアの左右両側の側端から前記左右方向外方に張り出す左右のサイドフラップ部を備え、前記左右のサイドフラップ部は、当該吸収性物品の左右両側の縁部における少なくとも前側の部分又は後側の部分に設けられている。
【０００８】
また、請求項２の発明では、請求項１の発明に係る吸収性物品において、前記バックシートは、不織布シートと、前記不織布シートの肌面側に貼り合わされた不透液性の樹脂フィルムとを備え、前記左右のサイドフラップ部は、当該吸収性物品の少なくとも前記前側の部分又は前記後側の部分において、前記左右のサイドシートの前記左右方向外方の側端を超えて前記左右方向外方に張り出す張り出し部を備え、前記左右のサイドシートは、当該吸収性物品の前後方向における前記張り出し部が設けられた前記部分において、前記サイドシートの前記側端から前記左右方向内方側に向けて、前記バックシートと接合されていない非接合領域を備える。
【０００９】
また、請求項３の発明では、請求項２の発明に係る吸収性物品において、前記吸収コアは、前記左右方向に沿った幅が拡大された前後の拡幅部と、その前後の拡幅部の間に設けられ、前記左右方向に沿った幅が狭められた括れ部とを有し、前記左右のサイドフラップ部の前記張り出し部は、前記吸収コアの前記前後の拡幅部のうちの少なくともいずれか一方の拡幅部の前記左右方向外方側に設けられている。
【００１０】
また、請求項４の発明では、請求項１ないし請求項３のいずれかの発明に係る吸収性物品において、前記サイドシートは、当該サイドシートを透して前記バックシートの色及び前記表面シートの色を視認可能な素材により形成され、前記バックシートの色は、前記サイドシートの色及び前記表面シートの色と異なっている。
【発明の効果】
【００１１】
請求項１に記載の発明によれば、吸収性物品の左右両側の縁部における少なくとも前側の部分又は後側の部分に、吸収コアの左右両側の縁部から左右方向外方に張り出す左右のサイドフラップ部が、バックシートによって形成されている。このため、取り外し作業時に、作業者は吸収性物品の左右両側の縁部における少なくとも前側の部分又は後側の部分に形成されたサイドフラップ部を手で挟持して取り外し作業を行うことができる。このサイドフラップ部を挟持することにより、吸収性物品が挟持されたときに吸収コアの一部が挟み込まれ、吸収コアに含まれた尿等の排泄液が溢れ出す等の不都合を回避できるとともに、吸収性物品の取り外し作業をスムーズに行うことができる。
【００１２】
また、左右のサイドフラップ部が、バックシートの左右両側の折り返し部及びその折り返し部に対向するバックシートの対向部分により形成される。それ故、バックシートの一部を利用して左右のサイドフラップ部を形成することができ、サイドフラップを形成するための専用のシート材等を吸収性物品に付与する必要がない。
【００１３】
また、バックシートの左右の折り返し部が吸収コアの左右両側の部分に肌面側から重なるように折り返されているため、取り外し作業時に吸収コアの一部が手によって挟み込まれた場合に、吸収コアから溢れ出した排泄液が外部に流れ出すのをバックシートの折り返し部で抑制できる。
【００１４】
また、左右のサイドシートの外面側表面の接合領域がバックシートの折り返された左右両側の縁部と接合されているため、吸収コアに含まれる排泄液が外部に漏れ出すのをサイドシート及びバックシートによって確実に抑制できる。
【００１５】
請求項２に記載の発明によれば、左右のサイドフラップ部が、吸収性物品の少なくとも前側の部分又は前記後側の部分において、左右のサイドシートの左右方向外方の側端を超えて左右方向外方に張り出す張り出し部を備えている。また、左右のサイドシートが、吸収性物品の前後方向におけるサイドフラップ部の張り出し部が設けられた部分において、サイドシートの側端から左右方向内方側に向けて、バックシートと接合されていない非接合領域を有している。このため、バックシートとサイドシートの非接合領域との間に指を差し入れるようにて、フラップ部を挟持することができる。バックシートとサイドシートの非接合領域との間に指が差し入れられたときに、指がサイドシートの接合領域の左右方向外方側の側端に当たって止められる。バックシートの左右の折り返し部の左右方向内方側の側端は、サイドシートの接合領域の左右方向外方側の側端よりも左右方向内方側に位置しているため、サイドシートの接合領域の左右方向外方側の側端よりも左右方向外方側の非接合領域では、バックシートの折り返し部が必ず存在している。このため、バックシートとサイドシートの非接合領域との間に差し入れられた指をサイドシートの接合領域の左右方向外方側の側端で止めることにより、吸収性物品のバックシートの折り返し部が存在している部分を作業者に確実に挟持させることができる。その結果、バックシートとサイドシートの非接合領域との間に差し入れられた指がサイドシートの接合領域の左右方向外方側の側端を越えて左右方向内方側に入り込み過ぎ、吸収性物品のバックシートの折り返し部が存在しない部分を作業者が挟持してしまい、挟持による押圧力によって吸収コアから溢れ出した排泄液が表面シートを透過して外部に漏れ出すのを防止できる。
【００１６】
また、バックシートとサイドシートの非接合領域との間に指が差し入れられたときに、指がサイドシートの非接合領域の左右方向内方側の終端位置に当たることにより、吸収性物品の左右両側の縁部におけるバックシートの折り返し部が存在する挟持可能な領域の限界位置を、指の感触により作業者に容易に認識させることができる。
【００１７】
また、本発明では、バックシートによって形成された左右のサイドフラップ部に、吸収性物品の前側の部分又は後側の部分において、左右のサイドシートの左右方向外方の側端を超えて左右方向外方に張り出す張り出し部を設けている。このため、取り外し作業時に、バックシートとサイドシートの非接合領域との間に指を容易に差し入れることができる。
【００１８】
また、サイドシートにはバックシートに用いられる不織布に比して多数のエンボスが施された不織布が用いられる場合が多い。多数のエンボスが施された不織布は挟持したときに滑り易い。この点に関し、本発明では、上記の如く、バックシートによって形成された左右のサイドフラップ部に、左右のサイドシートの左右方向外方の側端を超えて左右方向外方に張り出す張り出し部が設けているとともに、サイドシートにバックシートと接合されていない非接合領域を設け、バックシートとサイドシートの非接合領域との間に指を差し入れて吸収性物品を挟持できるようになっている。このため、滑りにくいバックシートの部分をしっかりと挟持して取り外し作業を行うことができる。
【００１９】
また、バックシートが不織布シートと、その不織布シートの肌面側に貼り合わされた不透液性の樹脂フィルムとを備えているため、良好な肌触り及び自然な質感と、確実な遮液性とを兼ね備えた吸収性物品が得られる。
【００２０】
請求項３に記載の発明によれば、吸収コアが前後の拡幅部と、その前後の拡幅部の間に設けられた幅の狭い括れ部とを有しているため、この吸収コアの形状に応じて、吸収性物品の前側及び後側の部分は、左右方向の幅が拡大される。このように左右方向の幅が拡大された吸収性物品の前側の部分又は後側の部分にサイドフラップ部の張り出し部を設けることにより、取り外し作業の際にサイドフラップ部をより挟持しやすくでき、吸収性物品の取り外しがより容易になる。また、吸収コアの前後の拡幅部は排泄液の吸収量が多く、取り外し時は重くなっているため、吸収性物品の前側の部分又は後側の部分に設けられたサイドフラップ部の張り出し部を取り外し作業の際に作業者が挟持することにより、吸収性物品を安定して取り扱うことができる。
【００２１】
請求項４に記載の発明によれば、サイドシート及び表面シートに対するバックシートの色の違いにより、吸収性物品におけるバックシートの折り返し部が存在する挟持可能な領域を視覚的に容易に把握でき、便利である。
【図面の簡単な説明】
【００２２】
【図１】本発明の一実施形態に係る吸収性物品としての使い捨ておむつの肌面側から見た平面図である。
【図２】図１の使い捨ておむつのＡ−Ａ線に沿った断面の構成を模式的に示す図である。
【図３】図１の使い捨ておむつの左右のフラップ部が挟持される際の様子を示す図である。
【発明を実施するための形態】
【００２３】
図１は本発明の一実施形態に係る使い捨て吸収性物品としての使い捨ておむつ（以下、単に「おむつ」という）の平面図であり、図２は図１のおむつのＡ−Ａ線に沿った断面の構成を模式的に示す図である。なお、図１及び図２において、横方向Ｘは着用者の左右方向に対応しており、縦方向Ｙは着用者の前後又は上下方向に対応している。また、図１に示すおむつ１の構成において、図１の図面上における上側がおむつ１の後側に対応している。
【００２４】
本実施形態に係るおむつ１は、テープ型又はパンツ型のおむつ等の股部の内側に敷き込まれて用いられるものである（尿パッドと呼ばれる場合がある）。このおむつ１をテープ型又はパンツ型のおむつ等の股部に敷き込むことにより、おむつの吸液容量が補強され、多量の尿が排尿された場合又は多量の水分を含んだ軟便が排便された場合に対応できるようになる。また、通常又は比較的少量の排尿又は排便がされた場合には、テープ型又はパンツ型のおむつの内側に敷き込んでいるおむつ１のみを交換すれば、外側のおむつはそのまま継続して使用できるという利点もある。なお、テープ型のおむつとは、おむつの後縁部の左右両側等に面ファスナー等の止着部材が設けられたタイプのおむつであり、パンツ型のおむつとは、左右の脚穴と腰穴を有し、左右の脚穴に着用者の脚を通して装着するタイプのおむつである。
【００２５】
このおむつ１は、図１及び図２に示すように、吸収コア１１、バックシート１２、表面シートとしてのトップシート１３、左右のサイドシート１４及びティッシュペーパー１５を備えている。
【００２６】
吸収コア１１は、着用者が排泄した排泄液（例えば、尿又は便に含まれる水分等）を吸収する。より具体的には、吸収コア１１は、集合された繊維を少なくとも備えて構成された繊維集合体を備えている。好ましくは、繊維集合体には、繊維集合体に混入又は散布された吸収性樹脂粉末が含まれる。なお、本実施形態では、吸収コア１１の繊維集合体を包装シート（例えば、ティッシュペーパー）によって包装しない構成としているが、繊維集合体を包装シートによって包装してもよい。この場合は、後述するティッシュペーパー１５は省略してもよい。
【００２７】
また、吸収コア１１の繊維集合体は、横方向Ｘに沿った幅が拡大された前後の拡幅部１１ａ，１１ｂと、その前後の拡幅部１１ａ，１１ｂの間に設けられ、前記左右方向に沿った幅が狭められた括れ部１１ｃとを有し、その厚み方向から見て略砂時計形の形状を有している。繊維集合体の形状の他の例としては、略矩形、略楕円形等の種々の形状が採用可能である。
【００２８】
バックシート１２は、不透液性を有し、吸収コア１１の外面側に配置されている。バックシート１２の左右両側には、縦方向Ｙに沿った図示しなし折り返し線で肌面側に折り返された折り返し部１２１となっている。折り返し部１２１は、吸収コア１１の左右両側の部分に肌面側から重なるように折り返されている。このようなバックシート１２は、不織布シート２１と、不織布シート２１の肌面側に貼り合わされた不透液性の樹脂フィルム２２とを備えている。不織布シート２１には、例えば撥水性を有する合成繊維製不織布等が用いられる。樹脂フィルム２２には、例えばポリエチレン等の合成樹脂製フィルム（不透液性でかつ通気性を有するフィルムが好ましい）等が用いられる。
【００２９】
なお、本実施形態に係るおむつ１では、バックシート１２の左右両側の外縁の形状が、吸収コア１１の形状に沿った略砂時計形に成形されている。バックシート１２の左右両側の外縁におけるおむつ１の後側の部分Ｐ２に位置する部分では、バックシート１２の左右両側の折り返し部１２１の折り返し線が残されているが、バックシート１２の後側の部分Ｐ２以外の部分に位置するバックシート１２の部分では、吸収コア１１の形状に沿うように、左右のサイドフラップ部１２２が切除されて成形されている。
【００３０】
トップシート１３は、透液性を有し、おむつ１の肌面側における横方向Ｘの中央部に、縦方向Ｙに沿って配置されている。左右のサイドシート１４は、不透液性を有し、トップシート１３の左右両側の部分に肌面側から重なるように、縦方向Ｙに沿って配置されている。トップシート１３は、透液性の合成繊維製不織布又は織布で形成される。サイドシート１４は、撥水性不織布等により形成される。
【００３１】
左右のサイドシート１４の横方向Ｘの内方側の部分は、トップシート１３から離反する方向（肌面側）に起立可能な起立部１４１となっている。この起立部１４１の横方向内方側の端部には、少なくとも１つ（本実施形態では２つ）の略糸状の弾性部材２３，２４が縦方向Ｙに沿って伸張された状態で付与されている。この弾性部材２３，２４の収縮によって起立部１４１が肌面側に向かって立ち上がり、立体ギャザーとして機能する。この立体ギャザーにより排泄物の横漏れが防止される。なお、この弾性部材２３，２４を含む立体ギャザーは省略してもよい。
【００３２】
ティッシュペーパー１５は、吸収コア１１の肌面側表面に対向するように配置され、吸収コア１１に含まれる吸収性樹脂粉末の漏れを防止する役割等を担っている。このティッシュペーパー１５は、バックシート１２の折り返し部１２１及びトップシート１３よりも外面側（吸収コア１１側）に配置される。
【００３３】
左右のサイドシート１４、トップシート１３及びバックシート１２の左右の折り返し部１２１の接合は、左右の接合部２６によって行われる。接合部２６は、吸収コア１１の肌面側において縦方向Ｙに沿って設けられ、左右のサイドシート１４の外面側表面における縦方向Ｙに沿った帯状の接合領域１４２とトップシート１３の左右の縁部とを接合するとともに、左右のサイドシート１４の接合領域１４２とバックシート１２の左右の折り返し部１２１の横方向Ｘ内方側の縁部とを接合する。接合部２６での接合には、接着剤（例えば、ホットメルト接着剤）が用いられる。なお、図１中の隠れ線１４２ａ，１４２ｂは接接合領域１４２の横方向Ｘの両側の側端を示し、隠れ線１３ａはトップシート１３の左右両側の側端を示し、隠れ線１２１ａはバックシート１２の折り返し部１２１の横方向Ｘ内方側の側端を示している。
【００３４】
本実施形態では、おむつ１の左右両側の縁部には、吸収コア１１の左右両側の側端１１ｄから横方向Ｘ外方に張り出すサイドフラップ部１２２が形成されている。このサイドフラップ部１２２は、バックシート１２における左右両側の折り返し部１２１及びその折り返し部１２１に対向するバックシート１２の対向部分１２３により形成されている。このような左右のサイドフラップ部１２２は、おむつ１の左右両側の縁部における少なくとも前側の部分Ｐ１又は後側の部分Ｐ２に設けられている。本実施形態では、左右のサイドフラップ部１２２が、おむつ１の左右両側における縦方向Ｙに沿った実質的に全区間に設けられている。変形例として、左右のサイドフラップ部１２２をおむつ１の左右両側の縁部における前側の部分Ｐ１のみ、又は、後側の部分Ｐ２のみに部分的に設けるようにしてもよい。
【００３５】
また、左右のサイドフラップ部１２２は、おむつ１の少なくとも前側の部分Ｐ１又は後側の部分Ｐ２において、左右のサイドシート１４の横方向Ｘ外方の側端１４ａを超えて横方向Ｘ外方に張り出す張り出し部１２２ａ，１２２ｂを備えている。本実施形態では、張り出し部１２２ａ，１２２ｂが、おむつ１の左右両側の縁部における前側の部分Ｐ１と後側の部分Ｐ２とに部分的に設けられている。変形例として、前後の張り出し部１２２ａ，１２２ｂのうちのいずれか一方を省略してもよい。
【００３６】
また、左右のサイドシート１４は、おむつ１の縦方向Ｙにおける張り出し部１２２ａ，１２２ｂが設けられた部分Ｐ１，Ｐ２において、サイドシート１４の側端１４ａから横方向Ｘ内方側に向けて、バックシート１２と接合されていない非接合領域１４３を備えている。この非接合領域１４３の横方向Ｘに沿った幅は、例えば約５ｍｍ以上に設定される。
【００３７】
このようなおむつ１は、上述の如く、他の使い捨ておむつ等の肌面側に配置され、着用者の股部を含む領域に装着される。そして、着用者が尿等を排泄した場合に、排泄された排泄液がトップシート１３及びティッシュペーパー１５を介して吸収コア１１に到達し、吸収コア１１によって吸収される。吸収コア１１の外面側及び左右両側の縁部は、不透液性のバックシート１２及びサイドシート１４によって覆われているため、吸収コア１１に含まれている排泄液がおむつ１の外部に漏れ出すのが防止される。
【００３８】
また、本実施形態では、おむつ１の左右両側の縁部における縦方向Ｙの実質的に全体に、吸収コア１１の左右両側の側端１１ａから左右方向外方に張り出す左右のサイドフラップ部１２２が、バックシート１２によって形成されている。このため、取り外し作業時に、作業者はおむつ１の左右両側の縁部に設けられたサイドフラップ部１２２を手で挟持して取り外し作業を行うことができる。このサイドフラップ部１２２を挟持することにより、おむつ１が挟持されたときに吸収コア１１の一部が挟み込まれ、吸収コア１１に含まれた尿等の排泄液が溢れ出す等の不都合を回避できるとともに、おむつ１の取り外し作業をスムーズに行うことができる。
【００３９】
また、左右のサイドフラップ部１２２が、バックシート１２の左右両側の折り返し部１２１及びその折り返し部１２１に対向するバックシート１２の対向部分１２３により形成される。それ故、バックシート１２の一部を利用して左右のサイドフラップ部１２２を形成することができ、サイドフラップ部１２２を形成するための専用のシート材等をおむつ１に付与する必要がない。
【００４０】
また、バックシート１２の左右の折り返し部１２１が吸収コア１１の左右両側の部分に肌面側から重なるように折り返されているため、取り外し作業時に吸収コア１１の一部が手によって挟み込まれた場合に、吸収コア１１から溢れ出した排泄液が外部に流れ出すのをバックシート１２の折り返し部１２１で抑制できる。
【００４１】
また、左右のサイドシート１４の外面側表面における縦方向Ｙに沿った帯状の接合領域１４２が、縦方向Ｙに連続的に延びる接合部２６によって、バックシート１２の左右の折り返し部１２１の横方向Ｘ内方側の縁部と接合されている。このため、吸収コア１１に含まれる排泄液が外部に漏れ出すのをサイドシート１４及びバックシート１２によって確実に抑制できる。
【００４２】
また、左右のサイドフラップ部１２２が、おむつ１の少なくとも前側の部分Ｐ１及び後側の部分Ｐ２において、左右のサイドシート１４の側端１４ａを超えて横方向Ｘ外方に張り出す張り出し部１２２ａ，１２２ｂを備えている。しかも、左右のサイドシート１４が、おむつ１の縦方向Ｙにおけるサイドフラップ部１２２の張り出し部１２２ａ，１２２ｂが設けられた部分Ｐ１，Ｐ２において、サイドシート１４の側端１４ａから横方向Ｘ内方側に向けて、バックシート１２と接合されていない非接合領域１４３を有している。このため、図３に示すように、バックシート１２とサイドシート１４の非接合領域１４３との間に指３１を差し入れるようにて、フラップ部１２２を挟持することができる。バックシート１２とサイドシート１４の非接合領域１４３との間に指３１が差し入れられたときに、図３に示すように指３１がサイドシート１４の接合領域１４２の横方向Ｘ外方側の側端１４２ａ（接合部２６の横方向Ｘ外方側の側端）に当たって止められる。バックシート１２の左右の折り返し部１２１の横方向Ｘ内方側の側端１２１ａは、サイドシート１４の接合領域１４２の横方向Ｘ外方側の側端１４２ａよりも横方向Ｘ内方側に位置しているため、サイドシート１４の接合領域１４２の横方向Ｘ外方側の側端１４２ａよりも横方向Ｘ外方側の非接合領域１４３では、バックシート１２の折り返し部１２１が必ず存在している。このため、バックシート１２とサイドシート１４の非接合領域１４３との間に差し入れられた指３１をサイドシート１４の接合領域１４２の横方向Ｘ外方側の側端１４２ａで止めることにより、おむつ１のバックシート１２の折り返し部１２１が存在している部分を作業者に確実に挟持させることができる。その結果、バックシート１２とサイドシート１４の非接合領域１４３との間に差し入れられた指３１がサイドシート１４の接合領域１４２の横方向Ｘ外方側の側端１４２ａを越えて横方向Ｘ内方側に入り込み過ぎ、おむつ１のバックシート１２の折り返し部１２１が存在しない部分を作業者が挟持してしまい、挟持による押圧力によって吸収コア１１から溢れ出した排泄液がトップシート１３を透過して外部に漏れ出すのを防止できる。
【００４３】
また、バックシート１２とサイドシート１４の非接合領域１４３との間に指３１が差し入れられたときに、図３に示すように指３１がサイドシート１４の非接合領域１４３の横方向Ｘ内方側の終端位置に当たることにより、おむつ１の左右両側の縁部におけるバックシート１２の折り返し部１２１が存在する挟持可能な領域の限界位置を、指３１の感触により作業者に容易に認識させることができる。
【００４４】
また、本実施形態では、バックシート１２によって形成された左右のサイドフラップ部１２２に、おむつ１の前側の部分Ｐ１又は後側の部分Ｐ２において、左右のサイドシート１４の側端１４ａを超えて横方向Ｘ外方に張り出す張り出し部１２２ａ，１２２ｂを設けている。このため、取り外し作業時に、バックシート１２とサイドシート１４の非接合領域１４３との間に指３１を容易に差し入れることができる。
【００４５】
また、サイドシート１４にはバックシート１２に用いられる不織布に比して多数のエンボスが施された不織布が用いられる場合が多い。多数のエンボスが施された不織布は挟持したときに滑り易い。この点に関し、本実施形態では、上記の如く、バックシート１２によって形成された左右のサイドフラップ部１２２に、左右のサイドシート１４の側端１４ａを超えて横方向Ｘ外方に張り出す張り出し部１２２ａ，１２２ｂが設けているとともに、サイドシート１４にバックシート１２と接合されていない非接合領域１４３を設け、バックシート１２とサイドシート１４の非接合領域１４３との間に指３１を差し入れておむつ１を挟持できるようになっている。このため、滑りにくいバックシート１２の部分をしっかりと挟持して取り外し作業を行うことができる。
【００４６】
また、バックシート１２が不織布シート２１と、その不織布シート２１の肌面側に貼り合わされた不透液性の樹脂フィルム２２とを備えているため、良好な肌触り及び自然な質感と、確実な遮液性とを兼ね備えたおむつ１が得られる。
【００４７】
また、本実施形態に係るおむつ１では、吸収コア１１がその厚み方向から見て略砂時計形の形状を有しているため、この吸収コア１１の形状に応じて、おむつ１の前側及び後側の部分Ｐ１，Ｐ２は、横方向Ｘの幅が拡大される。このように横方向Ｘの幅が拡大されたおむつ１の前側の部分Ｐ１及び後側の部分Ｐ２にサイドフラップ部１２２の張り出し部１２２ａ，１２２ｂを設けることにより、取り外し作業の際にサイドフラップ部１２２をより挟持しやすくでき、おむつ１の取り外しがより容易になる。また、吸収コア１１の前後の拡幅部１１ａ，１１ｂは排泄液の吸収量が多く（着用者が仰向けになったいるときは、特に後側の拡幅部１１ｂの排泄液の吸収量が多くなる）、取り外し時は重くなっているため、おつむ１の前側の部分Ｐ１及び後側の部分Ｐ２に設けられたサイドフラップ部１２２の張り出し部１２２ａ，１２２ｂを取り外し作業の際に作業者が挟持することにより、おむつ１を安定して取り扱うことができる。
【００４８】
なお、本実施形態に係るおむつ１の変形例として、左右のサイドシート１４を、そのサイドシート１４を透してバックシート１２の色及びトップシート１３の色を視認可能な素材（例えば、不織布）により形成し、バックシート１２の色を、サイドシート１４の色及びトップシート１３の色と異なった色にしてもよい。この場合のトップシート１３の色とは、トップシート１３を不織布シート２１が貼着された面から見たときにトップシート１３の色として視認される色のことであり、より詳細には、不織布シート２１の色と不織布シート２１を透して視認される樹脂フィルム２２の色との混合色である。このサイドシート１４及びトップシート１３に対するバックシート１２の色の違いにより、おむつ１におけるバックシート１２の折り返し部１２１が存在する挟持可能な領域を視覚的に容易に把握でき、便利である。
【符号の説明】
【００４９】
１  おむつ、１１  吸収コア、１１ａ，１１ｂ  拡幅部、１１ｃ  括れ部、１１ｄ  側端、１２  バックシート、１２１  折り返し部、１２２  サイドフラップ部、１２２ａ，１２２ｂ  張り出し部、１２３  対向部分、１３  トップシート、１４  サイドシート、１４ａ  側端、１４１  起立部、１４２  接合領域、１４３  非接合領域、１５  ティッシュペーパー、２１  不織布シート、２２  樹脂フィルム、２３，２４  弾性部材、２６  接合部、Ｐ１  前側の部分、Ｐ２  後側の部分。
【図１】
2010259640.tif 000003
【図２】
2010259640.tif 000004
【図３】
2010259640.tif 000005